【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
携帯端末と、識別情報読取装置と通信可能な情報処理装置であって、
前記携帯端末に識別情報を送信する送信手段と、
前記識別情報読取装置から送信される識別情報を受信する識別情報受信手段と、
前記識別情報受信手段で受信した前記識別情報と前記送信手段で前記携帯端末に送信した前記識別情報が一致することを条件に、前記識別情報を送信した携帯端末にドアを開錠するためのリンク情報を送信するリンク情報送信手段と、
前記リンク情報送信手段で送信したリンク情報に従って前記携帯端末から送信される前記ドアの開錠依頼を受信する開錠依頼受信手段と、
前記開錠依頼受信手段で前記ドアを開錠する依頼を受信することを条件に、前記ドアを開錠する指示を行う指示手段と
を備えることを特徴とする情報処理装置。
【請求項２】
前記識別情報を使用可能な期間の情報を記憶する記憶手段を備え、
前記リンク情報送信手段は、前記識別情報受信手段で受信した前記識別情報と前記送信手段で前記携帯端末に送信した前記識別情報とが一致し、かつ前記記憶手段に記憶されている期間に、前記識別情報受信手段で前記識別情報を受信することを条件に、前記リンク情報を前記携帯端末に送信することを特徴とする請求項１に記載の情報処理装置。
【請求項３】
前記記憶手段は、前記送信手段により前記携帯端末に送信した識別情報を記憶し、
前記リンク情報送信手段は、前記識別情報受信手段で受信した前記識別情報と前記記憶手段で記憶する前記識別情報が一致することを条件に、前記リンク情報を前記携帯端末に送信し、
前記開錠依頼受信手段により開錠依頼を受信することを条件に、前記記憶手段で記憶する前記携帯端末に送信した前記識別情報を削除する削除手段を備えること
を特徴とする請求項２に記載の情報処理装置。
【請求項４】
前記識別情報には、１次元コード、または２次元コードの少なくともいずれか一方を含むことを特徴とする請求項１乃至３のいずれか1項に記載の情報処理装置。
【請求項５】
前記識別情報読取装置は、前記ドアの近傍に設けられた識別情報読取装置であることを特徴とする請求項１乃至４のいずれか１項に記載の情報処理装置。
【請求項６】
携帯端末と、識別情報読取装置と、情報処理装置とを含む情報処理システムであって、
前記情報処理装置は、
前記携帯端末に識別情報を送信する送信手段と、
前記識別情報読取装置から送信される識別情報を受信する識別情報受信手段と、
前記識別情報受信手段で受信した前記識別情報と前記送信手段で前記携帯端末に送信した前記識別情報が一致することを条件に、前記識別情報を送信した携帯端末にドアを開錠するためのリンク情報を送信するリンク情報送信手段と、
前記携帯端末から送信される開錠依頼を受信する開錠依頼受信手段と、
前記開錠依頼受信手段で前記ドアを開錠する依頼を受信することを条件に、前記ドアを開錠する指示を行う指示手段とを備え、
前記携帯端末は、
前記情報処理装置から送信される前記識別情報を受信する受信手段と、
前記受信手段で受信した前記識別情報を表示する表示手段と、
前記情報処理装置から送信される前記リンク情報を受信するリンク情報受信手段と、
前記リンク情報受信手段で受信したリンク先にアクセスし、当該リンク先から前記ドアの開錠依頼を前記情報処理装置に送信する開錠依頼送信手段とを備え、
前記識別情報読取装置は、
前記携帯端末に表示される前記識別情報を読み取る読取手段と、
前記読取手段により読み取った前記識別情報を前記情報処理装置に送信する識別情報送信手段を備えること
を特徴とする情報処理システム。
【請求項７】
携帯端末と、読取装置と通信可能な情報処理装置であって、
識別情報を送信するユーザの顔画像と、当該ユーザの携帯端末を特定可能な特定情報とを記憶する記憶手段と、
前記読取装置から送信される顔画像を受信する顔画像受信手段と、
前記顔画像受信手段で受信した前記顔画像と、前記記憶手段で記憶する前記ユーザの顔画像が一致するかを判断する判断手段と、
前記判断手段で、前記顔画像受信手段で受信した前記顔画像と、前記記憶手段で記憶する前記ユーザの顔画像が一致すると判断されることを条件に、前記特定情報によって特定される前記ユーザが使用する前記携帯端末に識別情報を送信する識別情報送信手段と、
前記読取装置から識別情報を受信する識別情報受信手段と、
前記識別情報受信手段で受信した前記識別情報と前記識別情報送信手段で前記携帯端末に送信した前記識別情報が一致することを条件に、ドアを開錠する指示を行う指示手段とを備えることを特徴とする情報処理装置。
【請求項８】
前記読取装置は、前記ドアの近傍に設けられることを特徴とする請求項７に記載の情報処理装置。
【請求項９】
携帯端末と、読取装置と、情報処理装置とを含む情報処理システムであって、
前記読取装置は、
ユーザの顔画像を取得する取得手段と、
前記取得手段で取得した顔画像を、前記情報処理装置に送信する顔画像送信手段と、
前記携帯端末に表示される識別情報を読み取る読取手段と、
前記読取手段により読み取った前記識別情報を前記情報処理装置に送信する第１の送信手段を備え、
前記情報処理装置は、
識別情報を送信するユーザの顔画像と、当該ユーザの携帯端末を特定可能な特定情報とを記憶する記憶手段と、
前記顔画像送信手段で前記読取装置から送信される前記顔画像を受信する顔画像受信手段と、
前記顔画像受信手段で受信した前記顔画像と、前記記憶手段で記憶する前記ユーザの顔画像が一致するかを判断する判断手段と、
前記判断手段で、前記顔画像受信手段で受信した前記顔画像と、前記記憶手段で記憶する前記ユーザの顔画像が一致すると判断されることを条件に、前記特定情報によって特定される前記ユーザの前記携帯端末に識別情報を送信する第２の送信手段と、
前記読取装置から送信された前記識別情報を受信する第１の識別情報受信手段と、
前記第１の識別情報受信手段で受信した前記識別情報と前記第２の送信手段で前記携帯端末に送信した前記識別情報が一致することを条件に、ドアを開錠する指示を行う指示手段とを備え、
前記携帯端末は、
前記情報処理装置から送信される前記識別情報を受信する第２の識別情報受信手段と、
前記第２の識別情報受信手段で受信した前記識別情報を表示する表示手段と
を備えることを特徴とする情報処理システム。
【請求項１０】
携帯端末と、識別情報読取装置と通信可能な情報処理装置における制御方法であって、
前記携帯端末に識別情報を送信する送信工程と、
前記識別情報読取装置から送信される識別情報を受信する識別情報受信工程と、
前記識別情報受信工程で受信した前記識別情報と前記送信工程で前記携帯端末に送信した前記識別情報が一致することを条件に、前記識別情報を送信した携帯端末にドアを開錠するためのリンク情報を送信するリンク情報送信工程と、
前記リンク情報送信工程で送信したリンク情報に従って前記携帯端末から送信される前記ドアの開錠依頼を受信する開錠依頼受信工程と、
前記開錠依頼受信工程で前記ドアを開錠する依頼を受信することを条件に、前記ドアを開錠する指示を行う指示工程と
を備えることを特徴とする情報処理装置の制御方法。
【請求項１１】
携帯端末と、識別情報読取装置と通信可能な情報処理装置において実行可能なプログラムであって、
前記情報処理装置を、
前記携帯端末に識別情報を送信する送信手段と、
前記識別情報読取装置から送信される識別情報を受信する識別情報受信手段と、
前記識別情報受信手段で受信した前記識別情報と前記送信手段で前記携帯端末に送信した前記識別情報が一致することを条件に、前記識別情報を送信した携帯端末にドアを開錠するためのリンク情報を送信するリンク情報送信手段と、
前記リンク情報送信手段で送信したリンク情報に従って前記携帯端末から送信される前記ドアの開錠依頼を受信する開錠依頼受信手段と、
前記開錠依頼受信手段で前記ドアを開錠する依頼を受信することを条件に、前記ドアを開錠する指示を行う指示手段として機能させることを特徴とするプログラム。
【請求項１２】
携帯端末と、識別情報読取装置と、情報処理装置とを含む情報処理システムにおける制御方法であって、
前記情報処理装置が、前記携帯端末に識別情報を送信する送信工程と、
前記携帯端末が、前記情報処理装置から送信される前記識別情報を受信する受信工程と、
前記携帯端末が、前記受信工程で受信した前記識別情報を表示する表示工程と、
前記識別情報読取装置が、前記携帯端末に表示される前記識別情報を読み取る読取工程と、
前記識別情報読取装置が、前記読取工程により読み取った前記識別情報を前記情報処理装置に送信する識別情報送信工程と、
前記情報処理装置が、前記識別情報読取装置から送信される識別情報を受信する識別情報受信工程と、
前記情報処理装置が、前記識別情報受信工程で受信した前記識別情報と前記送信工程で前記携帯端末に送信した前記識別情報が一致することを条件に、前記識別情報を送信した携帯端末にドアを開錠するためのリンク情報を送信するリンク情報送信工程と、
前記携帯端末が、前記情報処理装置から送信される前記リンク情報を受信するリンク情報受信工程と、
前記携帯端末が、前記リンク情報受信工程で受信したリンク先にアクセスし、当該リンク先から前記ドアの開錠依頼を前記情報処理装置に送信する開錠依頼送信工程と、
前記情報処理装置が、前記携帯端末から送信される開錠依頼を受信する開錠依頼受信工程と、
前記情報処理装置が、前記開錠依頼受信工程で前記ドアを開錠する依頼を受信することを条件に、前記ドアを開錠する指示を行う指示工程とを備えることを特徴とする情報処理システムにおける制御方法。
【請求項１３】
携帯端末と、識別情報読取装置と、情報処理装置とを含む情報処理システムにおいて実行可能なプログラムであって、
前記情報処理装置を、
前記携帯端末に識別情報を送信する送信手段と、
前記識別情報読取装置から送信される識別情報を受信する識別情報受信手段と、
前記識別情報受信手段で受信した前記識別情報と前記送信手段で前記携帯端末に送信した前記識別情報が一致することを条件に、前記識別情報を送信した携帯端末にドアを開錠するためのリンク情報を送信するリンク情報送信手段と、
前記携帯端末から送信される開錠依頼を受信する開錠依頼受信手段と、
前記開錠依頼受信手段で前記ドアを開錠する依頼を受信することを条件に、前記ドアを開錠する指示を行う指示手段として機能させ、
前記携帯端末を、
前記情報処理装置から送信される前記識別情報を受信する受信手段と、
前記受信手段で受信した前記識別情報を表示する表示手段と、
前記情報処理装置から送信される前記リンク情報を受信するリンク情報受信手段と、
前記リンク情報受信手段で受信したリンク先にアクセスし、当該リンク先から前記ドアの開錠依頼を前記情報処理装置に送信する開錠依頼送信手段として機能させ、
前記識別情報読取装置を、
前記携帯端末に表示される前記識別情報を読み取る読取手段と、
前記読取手段により読み取った前記識別情報を前記情報処理装置に送信する識別情報送信手段として機能させることを特徴とするプログラム。
【請求項１４】
携帯端末と、読取装置と通信可能な情報処理装置であって、識別情報を送信するユーザの顔画像と、当該ユーザの携帯端末を特定可能な特定情報とを記憶する記憶手段を備える情報処理装置における制御方法であって、
前記読取装置から送信される顔画像を受信する顔画像受信工程と、
前記顔画像受信工程で受信した前記顔画像と、前記記憶手段で記憶する前記ユーザの顔画像が一致するかを判断する判断工程と、
前記判断工程で、前記顔画像受信工程で受信した前記顔画像と、前記記憶手段で記憶する前記ユーザの顔画像が一致すると判断されることを条件に、前記特定情報によって特定される前記ユーザが使用する前記携帯端末に識別情報を送信する識別情報送信工程と、
前記読取装置から識別情報を受信する識別情報受信工程と、
前記識別情報受信工程で受信した前記識別情報と前記識別情報送信工程で前記携帯端末に送信した前記識別情報が一致することを条件に、ドアを開錠する指示を行う指示工程とを備えることを特徴とする情報処理装置の制御方法。
【請求項１５】
携帯端末と、読取装置と通信可能な情報処理装置であって、識別情報を送信するユーザの顔画像と、当該ユーザの携帯端末を特定可能な特定情報とを記憶する記憶手段を備える情報処理装置において実行可能なプログラムであって、
前記情報処理装置を、
前記読取装置から送信される顔画像を受信する顔画像受信手段と、
前記顔画像受信手段で受信した前記顔画像と、前記記憶手段で記憶する前記ユーザの顔画像が一致するかを判断する判断手段と、
前記判断手段で、前記顔画像受信手段で受信した前記顔画像と、前記記憶手段で記憶する前記ユーザの顔画像が一致すると判断されることを条件に、前記特定情報によって特定される前記ユーザが使用する前記携帯端末に識別情報を送信する識別情報送信手段と、
前記読取装置から識別情報を受信する識別情報受信手段と、
前記識別情報受信手段で受信した前記識別情報と前記識別情報送信手段で前記携帯端末に送信した前記識別情報が一致することを条件に、ドアを開錠する指示を行う指示手段として機能させることを特徴とするプログラム。
【請求項１６】
携帯端末と、読取装置と、識別情報を送信するユーザの顔画像と当該ユーザの携帯端末を特定可能な特定情報とを記憶する記憶手段を備える情報処理装置とを含む情報処理システムにおける制御方法であって、
前記読取装置が、ユーザの顔画像を取得する取得工程と、
前記読取装置が、前記取得工程で取得した顔画像を、前記情報処理装置に送信する顔画像送信工程と、
前記情報処理装置が、前記顔画像送信工程で前記読取装置から送信される前記顔画像を受信する顔画像受信工程と、
前記情報処理装置が、前記顔画像受信工程で受信した前記顔画像と、前記記憶手段で記憶する前記ユーザの顔画像が一致するかを判断する判断工程と、
前記情報処理装置が、前記判断工程で、前記顔画像受信工程で受信した前記顔画像と、
前記記憶手段で記憶する前記ユーザの顔画像が一致すると判断されることを条件に、前記特定情報によって特定される前記ユーザの前記携帯端末に識別情報を送信する第１の送信工程と、
前記携帯端末が、前記情報処理装置から送信される前記識別情報を受信する第１の識別情報受信工程と、
前記携帯端末が、前記第１の識別情報受信工程で受信した前記識別情報を表示する表示工程と、
前記読取装置が、前記携帯端末に表示される識別情報を読み取る読取工程と、
前記読取装置が、前記読取工程により読み取った前記識別情報を前記情報処理装置に送信する第２の送信工程を備え、
前記情報処理装置が、前記読取装置から送信された前記識別情報を受信する第２の識別情報受信工程と、
前記情報処理装置が、前記第２の識別情報受信工程で受信した前記識別情報と前記第１の送信工程で前記携帯端末に送信した前記識別情報が一致することを条件に、ドアを開錠する指示を行う指示工程とを備えることを特徴とする情報処理システムにおける制御方法。
【請求項１７】
携帯端末と、読取装置と、識別情報を送信するユーザの顔画像と当該ユーザの携帯端末を特定可能な特定情報とを記憶する記憶手段を備える情報処理装置とを含む情報処理システムにおいて実行可能なプログラムであって、
前記読取装置を、
ユーザの顔画像を取得する取得手段と、
前記取得手段で取得した顔画像を、前記情報処理装置に送信する顔画像送信手段と、
前記携帯端末に表示される識別情報を読み取る読取手段と、
前記読取手段により読み取った前記識別情報を前記情報処理装置に送信する第１の送信手段として機能させ、
前記情報処理装置を、
前記顔画像送信手段で前記読取装置から送信される前記顔画像を受信する顔画像受信手段と、
前記顔画像受信手段で受信した前記顔画像と、前記記憶手段で記憶する前記ユーザの顔画像が一致するかを判断する判断手段と、
前記判断手段で、前記顔画像受信手段で受信した前記顔画像と、前記記憶手段で記憶する前記ユーザの顔画像が一致すると判断されることを条件に、前記特定情報によって特定される前記ユーザの前記携帯端末に識別情報を送信する第２の送信手段と、
前記読取装置から送信された前記識別情報を受信する第１の識別情報受信手段と、
前記第１の識別情報受信手段で受信した前記識別情報と前記第２の送信手段で前記携帯端末に送信した前記識別情報が一致することを条件に、ドアを開錠する指示を行う指示手段として機能させ、
前記携帯端末を、
前記情報処理装置から送信される前記識別情報を受信する第２の識別情報受信手段と、
前記第２の識別情報受信手段で受信した前記識別情報を表示する表示手段として機能させることを特徴とするプログラム。
【手続補正２】
【補正対象書類名】明細書
【補正対象項目名】００１０
【補正方法】変更
【補正の内容】
【００１０】
本発明は、携帯端末と、識別情報読取装置と通信可能な情報処理装置であって、前記携帯端末に識別情報を送信する送信手段と、前記識別情報読取装置から送信される識別情報を受信する識別情報受信手段と、前記識別情報受信手段で受信した前記識別情報と前記送信手段で前記携帯端末に送信した前記識別情報が一致することを条件に、前記識別情報を送信した携帯端末にドアを開錠するためのリンク情報を送信するリンク情報送信手段と、前記リンク情報送信手段で送信したリンク情報に従って前記携帯端末から送信される前記ドアの開錠依頼を受信する開錠依頼受信手段と、前記開錠依頼受信手段で前記ドアを開錠する依頼を受信することを条件に、前記ドアを開錠する指示を行う指示手段とを備えることを特徴とする。また、本発明は、携帯端末と、読取装置と通信可能な情報処理装置であって、識別情報を送信するユーザの顔画像と、当該ユーザの携帯端末を特定可能な特定情報とを記憶する記憶手段と、前記読取装置から送信される顔画像を受信する顔画像受信手段と、前記顔画像受信手段で受信した前記顔画像と、前記記憶手段で記憶する前記ユーザの顔画像が一致するかを判断する判断手段と、前記判断手段で、前記顔画像受信手段で受信した前記顔画像と、前記記憶手段で記憶する前記ユーザの顔画像が一致すると判断されることを条件に、前記特定情報によって特定される前記ユーザが使用する前記携帯端末に識別情報を送信する識別情報送信手段と、前記読取装置から識別情報を受信する識別情報受信手段と、前記識別情報受信手段で受信した前記識別情報と前記識別情報送信手段で前記携帯端末に送信した前記識別情報が一致することを条件に、ドアを開錠する指示を行う指示手段とを備えることを特徴とする。
【手続補正３】
【補正対象書類名】明細書
【補正対象項目名】００１１
【補正方法】変更
【補正の内容】
【００１１】
また、本発明は、携帯端末と、識別情報読取装置と通信可能な情報処理装置における制御方法であって、前記携帯端末に識別情報を送信する送信工程と、前記識別情報読取装置から送信される識別情報を受信する識別情報受信工程と、前記識別情報受信工程で受信した前記識別情報と前記送信工程で前記携帯端末に送信した前記識別情報が一致することを条件に、前記識別情報を送信した携帯端末にドアを開錠するためのリンク情報を送信するリンク情報送信工程と、前記リンク情報送信工程で送信したリンク情報に従って前記携帯端末から送信される前記ドアの開錠依頼を受信する開錠依頼受信工程と、前記開錠依頼受信工程で前記ドアを開錠する依頼を受信することを条件に、前記ドアを開錠する指示を行う指示工程とを備えることを特徴とする。また、本発明は、携帯端末と、読取装置と通信可能な情報処理装置であって、識別情報を送信するユーザの顔画像と、当該ユーザの携帯端末を特定可能な特定情報とを記憶する記憶手段を備える情報処理装置における制御方法であって、前記読取装置から送信される顔画像を受信する顔画像受信工程と、前記顔画像受信工程で受信した前記顔画像と、前記記憶手段で記憶する前記ユーザの顔画像が一致するかを判断する判断工程と、前記判断工程で、前記顔画像受信工程で受信した前記顔画像と、前記記憶手段で記憶する前記ユーザの顔画像が一致すると判断されることを条件に、前記特定情報によって特定される前記ユーザが使用する前記携帯端末に識別情報を送信する識別情報送信工程と、前記読取装置から識別情報を受信する識別情報受信工程と、前記識別情報受信工程で受信した前記識別情報と前記識別情報送信工程で前記携帯端末に送信した前記識別情報が一致することを条件に、ドアを開錠する指示を行う指示工程とを備えることを特徴とする。
【手続補正４】
【補正対象書類名】明細書
【補正対象項目名】００１２
【補正方法】変更
【補正の内容】
【００１２】
また、本発明は、携帯端末と、識別情報読取装置と通信可能な情報処理装置において実行可能なプログラムであって、前記情報処理装置を、前記携帯端末に識別情報を送信する送信手段と、前記識別情報読取装置から送信される識別情報を受信する識別情報受信手段と、前記識別情報受信手段で受信した前記識別情報と前記送信手段で前記携帯端末に送信した前記識別情報が一致することを条件に、前記識別情報を送信した携帯端末にドアを開錠するためのリンク情報を送信するリンク情報送信手段と、前記リンク情報送信手段で送信したリンク情報に従って前記携帯端末から送信される前記ドアの開錠依頼を受信する開錠依頼受信手段と、前記開錠依頼受信手段で前記ドアを開錠する依頼を受信することを条件に、前記ドアを開錠する指示を行う指示手段として機能させることを特徴とする。また、本発明は、携帯端末と、読取装置と通信可能な情報処理装置であって、識別情報を送信するユーザの顔画像と、当該ユーザの携帯端末を特定可能な特定情報とを記憶する記憶手段を備える情報処理装置において実行可能なプログラムであって、前記情報処理装置を、前記読取装置から送信される顔画像を受信する顔画像受信手段と、前記顔画像受信手段で受信した前記顔画像と、前記記憶手段で記憶する前記ユーザの顔画像が一致するかを判断する判断手段と、前記判断手段で、前記顔画像受信手段で受信した前記顔画像と、前記記憶手段で記憶する前記ユーザの顔画像が一致すると判断されることを条件に、前記特定情報によって特定される前記ユーザが使用する前記携帯端末に識別情報を送信する識別情報送信手段と、前記読取装置から識別情報を受信する識別情報受信手段と、前記識別情報受信手段で受信した前記識別情報と前記識別情報送信手段で前記携帯端末に送信した前記識別情報が一致することを条件に、ドアを開錠する指示を行う指示手段として機能させることを特徴とする。